(57)【特許請求の範囲】
【請求項１】
ショーケースに設置される商品情報表示補助具であって、
左右方向に延びる長尺体からなる商品情報表示部材と、前記商品情報表示部材の左右両端部に嵌挿される閉塞部材と、前記商品情報表示部材の直下に左右方向に離間して配置され当該商品情報表示部材を支持する一対の脚部材とを有し、前記脚部材の各々は、前記ショーケースの所定の設置面に載置される基台と、前記基台と前記商品情報表示部材との間に着脱可能に連結される支持部材と、を備え、前記支持部材は、互いに上下に着脱可能な複数の分割体から成り、前記商品情報表示部材と前記閉塞部材と前記支持部材は一体的に結合されていることを特徴とする商品情報表示補助具。
【請求項２】
前記分割体は、一方の端部に設けられる第１結合部と、他方の端部に設けられる第２結合部と、を有し、隣接する前記分割体は、前記第１結合部と前記第２結合部との結合により連結されることを特徴とする請求項１に記載の商品情報表示補助具。
【請求項３】
前記第１結合部と前記第２結合部との結合は、ネジ結合であることを特徴とする請求項２に記載の商品情報表示補助具。
【請求項４】
前記基台は、前記ショーケースの所定の設置面に設置する固定部と、前記固定部の上方に設けられる前記第１結合部または前記第２結合部と、を備えていることを特徴とする請求項２または３に記載の商品情報表示補助具。
【請求項５】
複数の前記分割体は、同一の高さを有しており、前記商品情報表示部材は、複数の前記基台及び前記支持部材によって支持されていることを特徴とする請求項１ないし４のいずれかに記載の商品情報表示補助具。
【発明の詳細な説明】
【技術分野】
【０００１】
本発明は、ショーケースに設置される商品情報表示補助具に関する。
【背景技術】
【０００２】
スーパーマーケットやコンビニエンスストア等の商品売場では、上方に開口部を有するショーケースが設置されており、このショーケース内に陳列された商品の訴求効果を上げるために、ショーケースの上方位置で商品説明カードやプライスカード等のＰＯＰ（point of purchase）表示を行っている。このようなＰＯＰ表示を行うものとして、例えば、特許文献１に示されるような商品情報表示補助具がある。この商品情報表示補助具は、上方に開口部を有するショーケースの仕切壁に取付けられる脚部材と、商品表示具を保持するクリップ（商品情報表示部材）を有する棒状のスライドワイヤー（支持部材）と、を備えている。スライドワイヤーは、脚部材に固定された上下に延びる筒枠内に遊挿され、筒枠の外側から螺挿されるネジの押圧により筒枠に対して固定できるようになっており、筒枠に対するスライドワイヤーの上下の固定位置を変更することでクリップの高さ位置を調整できるようになっている。
【先行技術文献】
【特許文献】
【０００３】
【特許文献１】特開平１０−８５０９０号公報（第１頁、第１図）
【発明の概要】
【発明が解決しようとする課題】
【０００４】
しかしながら、特許文献１の商品情報表示補助具にあっては、筒枠に対するスライドワイヤーの上下の固定位置を変更することにより、クリップの高さ位置を調整する構造であるため、クリップの高さ位置を筒枠の上端部よりも下方に下げることができず、商品表示具の高さ調整の自由度が低いという問題があった。また、筒枠の外側から螺挿されるネジにより筒枠に対するスライドワイヤーの位置が固定されているため、振動などによりネジが緩んだ際にスライドワイヤーの自重により下がってしまうという虞があった。
【０００５】
本発明は、このような問題点に着目してなされたもので、商品情報表示部材の高さ調整の自由度が高く、且つ商品情報表示部材の高さ位置を確実に保つことができる商品情報表示補助具を提供することを目的とする。
【課題を解決するための手段】
【０００６】
前記課題を解決するために、本発明の商品情報表示補助具は、
左右方向に延びる長尺体からなる商品情報表示部材と、前記商品情報表示部材の左右両端部に嵌挿される閉塞部材と、前記商品情報表示部材の直下に左右方向に離間して配置され当該商品情報表示部材を支持する一対の脚部材とを有し、前記脚部材の各々は、前記ショーケースの所定の設置面に載置される基台と、前記基台と前記商品情報表示部材との間に着脱可能に連結される支持部材と、を備え、前記支持部材は、互いに上下に着脱可能な複数の分割体から成り、前記商品情報表示部材と前記閉塞部材と前記支持部材は一体的に結合されていることを特徴としている。
この特徴によれば、分割体の数量の足し引きによって商品情報表示部材の高さを調整できるため、商品情報表示部材の高さ調整の自由度が高く、且つ商品情報表示部材の重量が分割体同士の上下の重なる方向にかかるので、分割体の形状強度を利用して商品情報表示部材の高さ位置を確実に保つことができる。
【０００７】
前記分割体は、一方の端部に設けられる第１結合部と、他方の端部に設けられる第２結合部と、を有し、隣接する前記分割体は、前記第１結合部と前記第２結合部との結合により連結されることを特徴としている。
この特徴によれば、各分割体は共通の連結構造を持っているため、支持部材の組み立てが簡便である。
【０００８】
前記第１結合部と前記第２結合部との結合は、ネジ結合であることを特徴としている。
この特徴によれば、第１結合部と第２結合部とがネジ結合するため、支持部材の強度が高い。
【０００９】
前記基台は、前記ショーケースの所定の設置面に設置する固定部と、前記固定部の上方に設けられる前記第１結合部または前記第２結合部と、を備えていることを特徴としている。
この特徴によれば、固定部に対して第１結合部または第２結合部を用いて支持部材及び商品情報表示部材を撤去・組み立てを行うことができる。
【００１０】
複数の前記分割体は、同一の高さを有しており、前記商品情報表示部材は、複数の前記基台及び前記支持部材によって支持されていることを特徴としている。
この特徴によれば、各支持部材の分割体の数量を合わせれば、商品情報表示部材をバランスよく水平に支持できる。
【図面の簡単な説明】
【００１１】
【図１】実施例における商品情報表示補助具の使用例を示す斜視図である。
【図２】商品情報表示補助具を示す斜視図である。
【図３】商品情報表示補助具の構造を示す側断面図である。
【図４】商品情報表示補助具の構造を示す分解斜視図である。
【図５】（ａ）は、分割体の下端部の構造を示す斜視図であり、（ｂ）は、分割体の上端部の構造を示す斜視図である。
【図６】商品情報表示部材と支持部材との連結態様を示す部分斜視図である。
【発明を実施するための形態】
【００１２】
本発明に係る商品情報表示補助具を実施するための形態を実施例に基づいて以下に説明する。
【実施例】
【００１３】
実施例に係る商品情報表示補助具につき、図１から図６を参照して説明する。以下、図３の画面左側を商品情報表示補助具の正面側（前方側）とし、正面側から見て左右側を商品情報表示補助具の左右側として説明する。
【００１４】
図１に示されるように、主にスーパーマーケットやコンビニエンスストア等の商品売場には、上方に開口部を有する箱状のショーケース１０が設置されている。このショーケース１０は、近年の省エネルギー化に伴い、庫内温度の上昇を防いで消費電力を削減するために上方の開口部を開閉自在にするスライド扉１０ａ，１０ａ，…が設けられている。詳しくは、このショーケース１０は、上方に開口部を有する断面視コ字状の箱体１０ｆと、箱体１０ｆの前後側壁部の上端に架設される複数のフレーム１０ｇ，１０ｇ，…と、を備えている。箱体１０ｆは、その前後中央に上下に延びる仕切部１０ｃが設けられており、これにより箱体１０ｆ内における仕切部１０ｃを挟んだ前後に商品１２，１２，…を収容・陳列する商品陳列部１０ｄ，１０ｄ（以下、単に陳列部１０ｄ，１０ｄという）が形成されている。
【００１５】
また、左右に隣接するフレーム１０ｇ，１０ｇ間には、その前後中央部に固定される固定板１０ｂと、固定板１０ｂの前後にそれぞれ設けられるスライド扉１０ａ，１０ａと、が設けられており、スライド扉１０ａ，１０ａを前後にスライドさせることにより、ショーケース１０の前後の開口部を開閉できるようになっている。また、スライド扉１０ａの開放時には、該スライド扉１０ａを固定板１０ｂの下方に格納することができ、ショーケース１０の上方の空間を有効利用できるようになっている。また、スライド扉１０ａ，１０ａ，…及び固定板１０ｂ，１０ｂ，…をガラス製にすることで前後の陳列部１０ｄ，１０ｄに陳列される商品１２，１２，…や、仕切部１０ｃの正面側及び背面側上方にそれぞれ設けられた商品１２，１２，…の情報表示を行うプライスカードレール１０ｅ，１０ｅをスライド扉１０ａ，１０ａ，…及び固定板１０ｂ，１０ｂ，…を介して上方から視認できるようになっている。
【００１６】
ここで、ショーケース１０においては、商品１２，１２，…の情報表示を行うためのプライスカードレール１０ｅ，１０ｅがショーケース１０内に設けられているものの、ショーケース１０から遠くに離れた位置からでは商品１２，１２，…の情報表示が見え難く、ショーケース１０内に陳列された商品の訴求効果が低くなっていた。
【００１７】
図１に示されるように、商品情報表示補助具１は、ショーケース１０の上面中央に設けられた固定板１０ｂ上（設置面）に載置され、ショーケース１０の上方で商品説明カードやプライスカード等のＰＯＰ表示を行うことで、ショーケース１０内に陳列された商品の訴求効果を上げるために用いられるものである。
【００１８】
次いで、商品情報表示補助具１の構造について説明する。図２に示されるように、商品情報表示補助具１は、上方に設けられ左右方向に延びる長尺体である商品情報表示部材２と、該商品情報表示部材２の直下に左右方向に所定間隔離して配置され商品情報表示部材２を支持する一対の脚部材３，３と、から主に構成され、門型を成している。尚、脚部材３，３の構造は、同一構成であるため、一方の脚部材３のみ説明して、他方の説明を省略する。
【００１９】
図１ないし図３に示されるように、商品情報表示部材２は、押し出し成形により製造されており、商品情報表示部材２内には、商品情報表示部材２の長手方向に沿って左右方向に連通する上部空間Ｓ１，Ｓ１及び下部空間Ｓ２が形成されている。商品情報表示部材２の上面前縁及び後縁には、上方に開口し且つ左右方向に延びるプライスカードレール２ａ，２ａがそれぞれ形成されており、該プライスカードレール２ａ，２ａには、商品説明カードやプライスカード等が挟み込まれたカードホルダ１１，１１，…の一部を嵌挿可能になっている。プライスカードレール２ａの内部には、カードホルダ１１またはカードホルダ１１’の端部を保持する突起部２ｂが形成されている。図３の右側のプライスカードレール２ａに示されるように、突起部２ｂの前後いずれかにカードホルダ１１’の下端部を配置することでカードホルダ１１’の保持角度を変更可能となっているため、商品情報表示補助具１の設置場所に合わせて視認しやすい角度で商品１２，１２，…の情報表示を行うことができる。
【００２０】
また、商品情報表示部材２の上面に設けられる物品載置面２ｃには、載置型の商品情報表示具（図示省略）等が載置可能であり、商品情報表示補助具１の設置場所に合わせて効果的なＰＯＰ表示を選択可能な構成となっている。尚、物品載置面２ｃには、商品やサンプル等が載置されてもよい。
【００２１】
また、商品情報表示部材２の左右両端部には、エンドキャップ８，８がそれぞれ嵌挿されている。詳しくは、エンドキャップ８は、商品情報表示部材２の端部を閉塞する閉塞板部８ａと、閉塞板部８ａから左右方向に突出する下部突出部８ｂ及び上部突出部８ｄ，８ｄと、を備えている。下部突出部８ｂを下部空間Ｓ２に、上部突出部８ｄ，８ｄを上部空間Ｓ１，Ｓ１に、それぞれ商品情報表示部材２の側方からその内部に挿入することにより商品情報表示部材２の端部に装着される。エンドキャップ８，８が商品情報表示部材２の端部に装着された状態にあっては、商品情報表示部材２の左右両端部から内部構造が目隠しされ美観を高めることができる。
【００２２】
次に、脚部材３，３の構造を説明する。尚、脚部材３，３の構造は、同一構成であるため、一方の脚部材３のみ説明して、他方の説明を省略する。図１及び図２に示されるように、商品情報表示部材２を支持する脚部材３は、ショーケース１０の固定板１０ｂに載置される基台４と、該基台４と商品情報表示部材２との間に連結される円筒形の支持部材５と、から構成されている。
【００２３】
基台４の固定部４ａは、前後方向に長い小判型をしているため、前後方向への応力に対して脚部材３を安定して自立させることができる。また、商品情報表示補助具１は、商品情報表示部材２が一対の脚部材３，３によって支持されているため、前後方向及び左右方向への応力に対して強度を持たせ、安定して自立させることができる。尚、基台４の固定部４ａは、前後方向に長い小判型に限らず、長方形等、脚部材３を安定して自立させることができる形状であればよい。さらに尚、脚部材３をショーケース１０の固定板１０ｂに固定させる場合には、例えば、ショーケース１０の固定板１０ｂと固定部４ａとの間に両面テープやジェルシート等を用いた粘着層を設けることやボルト・ナットの締付等により、脚部材３をショーケース１０の固定板１０ｂに固定できる。
【００２４】
図３及び図４に示されるように、支持部材５は、上下方向に複数分割された円筒形の分割体６，６を有し、分割体６，６は互いに着脱可能となっている。これによれば、分割体６を複数用意しておけば、支持部材５を構成する分割体６，６，…の数量の足し引きによって商品情報表示部材２の高さ位置を調整できるため、商品情報表示部材２の高さ調整の自由度が高い。さらに、商品情報表示部材２の重量が分割体６，６，…同士が上下の重なる方向にかかるので、分割体６，６，…の形状強度を利用して商品情報表示部材２の高さ位置を確実に保つことができる。
【００２５】
また、商品情報表示補助具１は、商品情報表示部材２の高さ位置の調整自由度が高いため、商品情報表示補助具１がショーケース１０の上面中央の固定板１０ｂに載置された状態で遠くから商品１２，１２，…の情報表示が見えるように商品情報表示部材２の高さ位置を調整することや、ショーケース１０の固定板１０ｂと商品情報表示部材２及び脚部材３，３により形成される矩形状の空間を介して、商品情報表示補助具１を挟んで反対側のショーケース１０内に陳列された商品が見えるように商品情報表示部材２の高さ位置を調整することができる。
【００２６】
次いで、分割体６，６の構造について説明する。尚、分割体６，６の構造は、同一構成であるため、一方の分割体６のみ説明して、他方の分割体６の説明を省略する。図５（ａ）に示されるように、分割体６の下端部（一方の端部）側に配された底板部６ｅの中心部には、下方側に突出する雄ネジ部６ｂ（第１結合部）が設けられている。この雄ネジ部６ｂは、後述する筒状部６ｆに対してボルトがインサート成形されることにより形成されている。また、雄ネジ部６ｂの外周には、上下方向に延びる凸部６ａが形成されている。また、分割体６の下端部に設けられた凸部６ａ及び雄ネジ部６ｂは、端部が略面一になっているため、分割体６を床等に直接載置した場合であっても雄ネジ部６ｂが床等に接触して起こる破損を防ぐことができる。
【００２７】
また、図５（ｂ）に示されるように、分割体６は、底板部６ｅの外縁から立設する外壁部６ｇを備え、外壁部６ｇの内部は、分割体６の上端部（他方の端部）が開口する凹部６ｄとなっている。分割体６の底板部６ｅの中心には、上方に立設する筒状部６ｆを有しており、この筒状部６ｆの内部には、上方の分割体６の雄ネジ部６ｂと螺合するようにタップ加工により形成された雌ネジ部６ｃ（第２結合部）が設けられている。尚、雌ネジ部６ｃの形成方法は、タップ加工に限らず、ナット等のインサート成形によって行われてもよい。
【００２８】
また、凹部６ｄには、筒状部６ｆから分割体６の外壁部６ｇに架設されるリブ６ｈ，６ｈ，…が形成されており、このリブ６ｈ，６ｈ，…により筒状部６ｆ及び外壁部６ｇの強度が高くなっている。また、各リブ６ｈは、その上端部の外壁部６ｇ側に切欠き部６ｊをそれぞれ備えており、分割体６，６同士が連結された状態にあっては、各切欠き部６ｊと外壁部６ｇの内周面との間に上方の分割体６の凸部６ａが嵌合挿入されている。さらに、凸部６ａが各切欠き部６ｊと外壁部６ｇの内周面との間に嵌合挿入された際には、凸部６ａと各切欠き部６ｊと外壁部６ｇの内周面とがほぼ密着した状態になっている。
【００２９】
また、外壁部６ｇ及び筒状部６ｆは、上端部同士が側面視で略面一になっているため、分割体６を床等に直接載置した場合であっても筒状部６ｆが床等に接触して起こる破損を防ぐことができる。
【００３０】
上下に隣接し合う各分割体６，６は、雄ネジ部６ｂと雌ネジ部６ｃとのネジ結合により連結される。これによれば、各分割体６，６は、共通の連結構造を有し、他の連結部材や工具を用いる必要がなく、支持部材５の組み立てが簡便である。また、雄ネジ部６ｂと雌ネジ部６ｃとがネジ結合であるため、支持部材５の連結強度を高めることができる。
【００３１】
また、上下に隣接し合う分割体６，６の上方の分割体６の下端部に設けられた雄ネジ部６ｂと、下方の分割体６の上端部に設けられた雌ネジ部６ｃと、が螺合すると同時に、上方の分割体６の下端部に形成された凸部６ａが、下方の分割体６の各切欠き部６ｊと外壁部６ｇの内周面との間に嵌合することから、分割体６，６同士を連結する際には、上方の分割体６の凸部６ａが下方の分割体６の各切欠き部６ｊと外壁部６ｇの内周面との間に案内されるため、分割体６，６同士の連結が簡便であるとともに、支持部材５の連結強度をさらに高めることができる。また、分割体６，６同士が連結した際には、凸部６ａと外壁部６ｇとにより、雄ネジ部６ｂと雌ネジ部６ｃとの連結部分が外部に露見することが確実に防止される。
【００３２】
また、図３及び図４に示されるように、基台４の上方には、円筒形に上下方向に延び、前述した分割体６の外壁部６ｇと同径に形成された外壁部４ｂが設けられ、該外壁部４ｂの中心には、筒状部４ｄが立設しており、筒状部４ｄには、分割体６の雄ネジ部６ｂと螺合するようにナットのインサート成形により形成された雌ネジ部４ｃ（第２結合部）が設けられている。また、外壁部４ｂ及び筒状部４ｄは、端部が略面一になっている。つまり、基台４と支持部材５（基台４の上方に隣接する分割体６）の連結構造は、前述の分割体６，６同士の連結構造と同じものとなっており、基台４の上方に隣接する分割体６の下端部に設けられた雄ネジ部６ｂと基台４の雌ネジ部４ｃとがネジ結合すると同時に、分割体６の下端部に形成された凸部６ａが、基台４の上面に形成された外壁部４ｂ内に嵌合することから、基台４と支持部材５の連結が簡便であるとともに、基台４と支持部材５の連結強度を高めることができる。尚、基台４にも分割体６と同様に、筒状部４ｄから外壁部４ｂに架設されるリブを複数設けてもよい。
【００３３】
また、基台４に対して支持部材５及び商品情報表示部材２を着脱できるため、基台４をショーケース１０の固定板１０ｂに固定した状態であっても、基台４を固定板１０ｂに残したまま、支持部材５及び商品情報表示部材２を撤去できるとともに、固定板１０ｂに基台４が固定された状態で支持部材５及び商品情報表示部材２の組み立てを行うことができる。
【００３４】
尚、上述したように基台４の上方には、雌ネジ部４ｃが設けられているが、基台４の上方に雄ネジ部が設けられてもよく、この場合には、分割体６，６，…の雌ネジ部６ｃが設けられた端部に対してネジ結合により基台４を連結することができる。
【００３５】
また、分割体６，６同士を連結する際には、凸部６ａの下端面がリブ６ｈ，６ｈ，…の各切欠き部６ｊ，６ｊ，…の端面６ｋ，６ｋ，…（特に図３参照）に当接するまで雄ネジ部６ｂと雌ネジ部６ｃの螺合を十分に行うことができ、分割体６，６同士の連結をより確実なものとすることができる。尚、分割体６，６同士を連結する際には、上方の分割体６の外壁部６ｇの下端面が下方の分割体６の外壁部６ｇの上端面に当接するまで雄ネジ部６ｂと雌ネジ部６ｃの螺合を行うことができるようになっていてもよい。
【００３６】
次いで、商品情報表示部材２と脚部材３，３の連結構造について説明する。図３及び図６に示されるように、商品情報表示部材２の左右両端部から所定距離中央寄りには、物品載置面２ｃを構成する上板材及び下板材を上下方向に貫通する貫通孔２ｄ，２ｄがそれぞれ設けられている。貫通孔２ｄ，２ｄは、商品情報表示部材２と脚部材３，３の連結に使用されるネジ７，７の頭部よりも大きな径を有しており、商品情報表示部材２の下板材の直下に配置された分割体６，６の上端部の雌ネジ部６ｃ，６ｃに対して、貫通孔２ｄ，２ｄを介して上方からネジ７，７（第１結合部）を螺合させることができる。また、商品情報表示部材２の左右両端部にそれぞれ嵌挿されるエンドキャップ８，８の下部突出部８ｂ，８ｂには、下部突出部８ｂ，８ｂが商品情報表示部材２の下部空間Ｓ２内に嵌挿された状態において、商品情報表示部材２の貫通孔２ｄ，２ｄと上下方向に中心軸を同じくする孔８ｃ，８ｃが設けられている。孔８ｃ，８ｃは、ネジ７，７のネジ部と略同径を有しており、ネジ７，７の頭部が孔８ｃ，８ｃを貫通できないようになっているため、分割体６，６の上端部の雌ネジ部６ｃ，６ｃにネジ７，７が螺合する際に、ネジ７，７の頭部によって商品情報表示部材２の下面との間に孔８ｃ，８ｃを介してエンドキャップ８，８の下部突出部８ｂ，８ｂが押さえ付けられることにより、商品情報表示部材２と分割体６，６をネジ結合により連結することができる。
【００３７】
これによれば、商品情報表示部材２は、商品情報表示部材２の直下に配置される分割体６，６に対してネジ７，７によりネジ結合されることで着脱可能となっているため、基台４の固定部４ａがショーケース１０の固定板１０ｂに固定された場合であっても、商品情報表示部材２を直下に配置される分割体６，６から取り外すことにより、支持部材５を構成する分割体６，６，…を着脱して商品情報表示部材２の高さ位置を調整することができる。
【００３８】
尚、上述した商品情報表示部材２は、直下に配置される分割体６の雌ネジ部６ｃに対して、貫通孔２ｄを介して上方からネジ７によってネジ結合されることにより連結が行われるが、商品情報表示部材２には、直下に配置される分割体６の雌ネジ部６ｃに螺合する雄ネジ部（第１結合部）が下方側に突出して設けられ、これらがネジ結合されることにより連結が行われてもよい。
【００３９】
また、商品情報表示部材２と脚部材３，３が連結された状態において、商品情報表示部材２の直下に配置される分割体６，６の筒状部６ｆ，６ｆ及び外壁部６ｇ，６ｇの上端面は、商品情報表示部材２の下面に当接するようになっているため、商品情報表示部材２と脚部材３，３の連結強度を高めることができる。
【００４０】
尚、商品情報表示部材２に設けられた貫通孔２ｄ，２ｄには、商品情報表示部材２と分割体６，６とのネジ止め後にキャップ２ｅ，２ｅをそれぞれ取り付けることで、貫通孔２ｄ，２ｄをキャップ２ｅ，２ｅで塞ぎ、貫通孔２ｄ，２ｄから商品情報表示部材２内部に塵埃などが入り込むことを防止できるとともに、商品情報表示補助具１の美観を高めることができる。
【００４１】
また、支持部材５，５を構成する複数の分割体６，６，…は、同一の高さを有している。そのため、脚部材３，３における各分割体６，６，…の数量を合わせることで商品情報表示部材２を左右端部の高さを合わせて水平にバランスよく支持することができる。
【００４２】
さらに、商品情報表示部材２は、直下に配置される複数の脚部材３，３によって支持されるため、例えば、先に脚部材３，３を組み立て、固定板１０ｂ上に仮置きし、脚部材３，３上に商品情報表示部材２が支持させた状態で商品情報表示部材２と脚部材３，３を連結することができるため、商品情報表示部材２と脚部材３との連結作業を簡便に行える。
【００４３】
尚、前記実施例では、１つの脚部材３を構成する支持部材５は、２つの分割体６，６が連結された態様となっていたが、これに限られず、脚部材３を構成する分割体の数量は自由に選択されてもよい。例えば、分割体（支持部材５）を使用せず、基台４が商品情報表示部材２の直下に配置される態様等、商品情報表示部材２、基台４、支持部材５の組み合わせにより商品１２，１２，…の情報表示の表示態様を設置場所に合わせて効果的に選択することができる。
【００４４】
また、前記実施例では、分割体６の一方の端部に第１結合部としての雄ネジ部６ｂを設け、他方の端部に第２結合部としての雌ネジ部６ｃを設けた態様について説明したが、これに限られず、雌ネジ部を第１結合部とし、雄ネジ部を第２結合部としてもよい。さらに、例えば、分割体の一方の端部に凸部、他方の端部に凹部を設け、隣接する分割体同士が互いに凹凸嵌合することで連結されるようになっていてもよいし、分割体の一方の端部及び他方の端部に磁石を設け、これにより隣接する分割体同士が互いに連結されてもよい。
【００４５】
以上、本発明の実施例を図面により説明してきたが、具体的な構成はこれら実施例に限られるものではなく、本発明の要旨を逸脱しない範囲における変更や追加があっても本発明に含まれる。
【００４６】
例えば、前記実施例では、商品情報表示補助具１は、商品情報表示部材２が２つの脚部材３，３により支持される態様として説明したが、商品情報表示部材２は、１つの脚部材により支持されてもよいし、３つ以上の脚部材により支持されてもよい。
【００４７】
また、前記実施例では、支持部材５は、同一の高さを有する２つの分割体６，６から構成されているが、高さの異なる複数種類の分割体を用意してもよく、この場合、より細かく支持部材５の高さを調整できる。
【符号の説明】
【００４８】
１                商品情報表示補助具
２                商品情報表示部材
３                脚部材
４                基台
４ａ              固定部
４ｃ              雌ネジ部（第２結合部）
５                支持部材
６                分割体
６ｂ              雄ネジ部（第１結合部）
６ｃ              雌ネジ部（第２結合部）
７                ネジ（第１結合部）
１０              ショーケース
１０ａ            スライド扉
１０ｂ            固定板（設置面）
１１，１１’      カードホルダ
【図１】
0006669454.tif 000002
【図２】
0006669454.tif 000003
【図３】
0006669454.tif 000004
【図４】
0006669454.tif 000005
【図５】
0006669454.tif 000006
【図６】
0006669454.tif 000007